(57)【要約】【課題】ユーザが、原稿画像の位置を短時間で確認及び修正できる、高品質の画像位置検出手段、画像読取システム、及び画像形成システムを提供すること。【解決手段】固定原稿載置台上の原稿載置領域の略全面に対向する領域に固体撮像素子を敷設したことを特徴とする画像位置検出手段、該画像位置検出手段と、該画像位置検出手段に接続され原稿の画像を表示する画像位置表示手段と、原稿の画像を拡大・縮小する画像処理手段と、各手段の動作への指示を入力する操作手段と、該入力操作に基づいて、各手段への動作を制御する制御手段と、を有することを特徴とする画像読取システム、及び、該画像読取システムと、画像を形成する画像形成手段とを有することを特徴とする画像形成システム。【選択図】        図２
2004282558.tif 000002
【特許請求の範囲】
【請求項１】
固定原稿載置台を有する画像読取装置に配設され、該固定原稿載置台上の原稿載置領域の略全面に対向する領域に固体撮像素子を敷設したことを特徴とする画像位置検出手段。
【請求項２】
固定原稿載置台、該固定原稿載置台上の原稿載置領域の略全面に対向する領域に固体撮像素子を敷設した画像位置検出手段、及び、原稿画像を読み取る画像読取手段、を備えた画像読取装置と、
該画像位置検出手段に接続され、該固定原稿載置台に載置された原稿の画像位置を表示する画像位置表示手段と、
前記原稿の画像を拡大または縮小しうる画像処理手段と、
該画像位置検出手段による画像位置の検出、該画像位置表示手段への表示、及び該画像処理手段による拡大または縮小、の各動作に対する指示を入力する操作手段と、
該操作手段からの入力操作に基づいて、該画像読取手段、該画像位置表示手段、及び該画像処理手段の各動作を制御する制御手段と、
を有することを特徴とする画像読取システム。
【請求項３】
前記画像位置表示手段には、ユーザが原稿画像を出力するための用紙の大きさを示す枠画像と、実際に載置された前記原稿の画像位置とが同時に表示されることを特徴とする請求項２に記載の画像読取システム。
【請求項４】
固定原稿載置台、該固定原稿載置台上の原稿載置領域の略全面に対向する領域に固体撮像素子を敷設した画像位置検出手段、及び、原稿画像を読み取る画像読取手段、を備えた画像読取装置と、
該画像位置検出手段に接続され、該固定原稿載置台に載置された原稿の画像を表示する画像位置表示手段と、
前記原稿の画像を拡大または縮小する画像処理手段と、
該原稿の画像を用紙に画像形成する画像形成手段と、
該画像読取手段による読み取り、該画像位置表示手段への表示、該画像処理手段による拡大または縮小、及び該画像形成手段による画像形成、の各動作に対する指示を入力する操作手段と、
該操作手段からの入力操作に基づいて、画像読取手段、画像位置表示手段、画像処理手段、及び画像形成手段の各動作を制御する制御手段と、
を有することを特徴とする画像形成システム。
【発明の詳細な説明】
【０００１】
【発明の属する技術分野】
本願発明は、固定原稿載置台上に載置した原稿の画像位置を画像表示部に表示することができる画像位置検出手段、画像読取システム、及び画像形成システムに関する。
【０００２】
【従来の技術】
画像読取装置を用いて書物やステイプルされた書類等、自動送りが困難な原稿を読み取り、複写またはファクシミリ送信するとき、該原稿を固定原稿載置台上に載置し原稿面を光走査して画像を読み取る方式が一般に用いられている。
【０００３】
また、複写機等の画像形成装置における原稿サイズ検知方法では、原稿幅の検知を行うのに多数の原稿幅検知センサを用いる方式も公知であり、原稿幅検知センサの数を少なくするため固体撮像素子（例えば、ＣＣＤ）を用いて主走査方向の原稿サイズ（幅方向の寸法）を検知するという検知方法も公知である。
【０００４】
固体撮像素子を用いて主走査方向の原稿サイズを検知するという方式によれば、従来は原稿幅検知センサの数に見合った定形の用紙サイズを判別することしかできなかったものが、固定原稿載置台上における最大原稿幅までの全てのサイズの原稿幅を検知することが可能となった。
【０００５】
しかしながら、副走査方向の原稿サイズ（長さ方向の寸法）を検知するには、検知する原稿サイズの種数に見合う数の原稿長さセンサを配設するか、画像読取用の固体撮像素子（以下、ＣＣＤともいう。）を画像の出力前に原稿面を一度走査する必要があり、更に、ユーザが原稿を固定原稿載置台上に載置した後、プリントスタートボタンを押す前に、原稿が正しく載置されているかどうかを確認するには、試しのプリントを行う必要があった。特に、原稿画像の一部または全体を拡大または縮小して用紙に出力したいとき、出力する画像に対し、選択した倍率と用紙の大きさが適切であるか、画像が用紙の所望する位置に収まるかを確認する必要があるが、従来の画像形成装置では、画像形成前に短時間で画像位置を確認することは困難であった。
【０００６】
一方、試しのプリントを無駄にしないため、試しの画像が正常であれば、これを所望する出力枚数に繰り入れるという技術が開示されている（例えば、特許文献１）が、試しの画像が望ましい画像でないときには、画像形成をやり直さなければならないという問題が残る。
【０００７】
これらの問題を解決するため、試しのプリントを行わずに原稿の載置位置を確認する方法として、ＣＣＤを用いて画像の出力前に原稿面を一度走査し、読み取った画像を操作部の液晶画面上に表示するという技術が開示されている（例えば、特許文献２）。
【０００８】
しかしながら、原稿面を一度走査するという工程は必要で、プリントする前の確認に時間が掛かるという問題の解決には不十分であった。
【０００９】
【特許文献１】
特開２００２−１５６８７２号公報（第３〜５頁、第６図）
【００１０】
【特許文献２】
特開２００２−１００００号公報（第３〜６頁、第５図）
【００１１】
【発明が解決しようとする課題】
本願発明は、ユーザが、所望するサイズの用紙に対し、載置した原稿画像の位置及び拡大・縮小後の画像配置の良否を短時間で確認し、修正して、プリント動作を開始させることができるという、簡単な構成でありながら、画像形成時に確認用の試し画像の出力を必要としない、使い易く高品質の画像読取装置を提供することを目的とする。
【００１２】
【課題を解決するための手段】
本願発明の目的は下記の構成によって達成することができる。
【００１３】
（１）固定原稿載置台を有する画像読取装置に配設され、該固定原稿載置台上の原稿載置領域の略全面に対向する領域に固体撮像素子を敷設したことを特徴とする画像位置検出手段。
【００１４】
（２）固定原稿載置台、該固定原稿載置台上の原稿載置領域の略全面に対向する領域に固体撮像素子を敷設した画像位置検出手段、及び、原稿画像を読み取る画像読取手段、を備えた画像読取装置と、
該画像位置検出手段に接続され、該固定原稿載置台に載置された原稿の画像位置を表示する画像位置表示手段と、
前記原稿の画像を拡大または縮小しうる画像処理手段と、
該画像位置検出手段による画像位置の検出、該画像位置表示手段への表示、及び該画像処理手段による拡大または縮小、の各動作に対する指示を入力する操作手段と、
該操作手段からの入力操作に基づいて、該画像読取手段、該画像位置表示手段、及び該画像処理手段の各動作を制御する制御手段と、
を有することを特徴とする画像読取システム。
【００１５】
（３）前記画像位置表示手段には、ユーザが原稿画像を出力するための用紙の大きさを示す枠画像と、実際に載置された前記原稿の画像位置とが同時に表示されることを特徴とする（２）に記載の画像読取システム。
（４）固定原稿載置台、該固定原稿載置台上の原稿載置領域の略全面に対向する領域に固体撮像素子を敷設した画像位置検出手段、及び、原稿画像を読み取る画像読取手段、を備えた画像読取装置と、
該画像位置検出読取手段に接続され、該固定原稿載置台に載置された原稿の画像を表示する画像位置表示手段と、
前記原稿の画像を拡大または縮小する画像処理手段と、
該原稿の画像を用紙に画像形成する画像形成手段と、
該画像読取手段による読み取り、該画像位置表示手段への表示、該画像処理手段による拡大または縮小、及び該画像形成手段による画像形成、の各動作に対する指示を入力する操作手段と、
該操作手段からの入力操作に基づいて、画像読取手段、画像位置表示手段、画像処理手段、及び画像形成手段の各動作を制御する制御手段と、
を有することを特徴とする画像形成システム。
【００１６】
【発明の実施の形態】
図１は、本発明に係る画像読取システムの実施の形態としての画像読取装置の構成を示す概略断面図であり、図２は図１の上面図である。なお、図１及び図２において、原稿押さえ部材は図示を省略している。
【００１７】
画像読取装置１００は、画像位置検出手段である画像位置検出部１０１、画像読取手段である画像読取部１０２、筐体１１０、固定原稿載置台であるプラテンガラス１２０、等により構成される。画像位置検出部１０１は、原稿の画像位置を検出する画像位置検出用の固体撮像素子である画像位置検出用ＣＣＤ１８０、原稿画像位置の像を画像位置検出用ＣＣＤ１８０上に結像する画像位置検出用結像レンズ（シリンドリカルレンズ）１８１、及び画像位置の検出時に原稿面を照射する画像位置検出用光源１８２、等からなる。画像読取部１０２は、原稿画像の読み取り時に原稿Ｄを照明する露光光源である１３１と第１ミラー１３２とからなる第１ミラーユニット１３０、第２ミラー１４１と第３ミラー１４２とからなる第２ミラーユニット１４０、画像読取用結像レンズ１５０、画像読取用の固体撮像素子である画像読取用ＣＣＤ１６０、等からなる。
【００１８】
第１ミラーユニット１３０と第２ミラーユニット１４０とは、図示しない駆動モータにより駆動され、第１ミラーユニット１３０の速度Ｖによる読み取り動作と第２ミラーユニット１４０による同方向への速度Ｖ／２による移動露光により画像読取用結像レンズ１５０を通して画像読取用ＣＣＤ１６０の受光面に原稿画像は結像される。画像読取用ＣＣＤ１６０上に結像したライン状の光学像は順次電気信号に光電変換される。この光電変換されたアナログ信号は画像処理部においてデジタル信号に変換され、画像データの処理が行われる。
【００１９】
本実施の形態では露光光源１３１及び画像位置検出用光源１８２としてキセノンランプを用いている。キセノンランプはＯＮ／ＯＦＦサイクルによって寿命に影響なく、特に光量立上り時間が１０ｍｓ以下という優れた特長を有している。また走査光学系を駆動する駆動モータには、正逆回転を可能とするステッピングモータが用いられ、ステッピングモータに対するパルス移動指令が与えられる。
【００２０】
本願発明に係る画像位置検出手段は、プラテンガラス１２０面に平行で第１ミラーユニット１３０及び第２ミラーユニット１４０の走行方向と直角な方向に長手部を有する複数の画像位置検出用結像レンズ１８１、該画像位置検出用結像レンズ１８１と平行に一定間隔を置いて配設した画像位置検出用ＣＣＤ１８０、及び画像位置検出用光源１８２からなる。
【００２１】
図１及び図２に示すように、画像位置検出用結像レンズ１８１はプラテンガラス１２０の下方に配設され、原稿Ｄの画像位置を検出する画像位置検出用ＣＣＤ１８０は画像位置検出用結像レンズ１８１の更に下方に配設される。画像位置検出用ＣＣＤ１８０はプラテンガラス１２０上での最大原稿載置領域Ｄ１と同等または若干広い領域の全面に敷設される（図２参照）。原稿画像の読み取り用の画像読取用ＣＣＤ１６０では、通常、画素数が６００ｄｐｉ（ドットパーインチのことで、１インチ当たりの画素数を表す。）程度のＣＣＤが用いられるが、画像の位置を検出するためのＣＣＤとしては、６０ｄｐｉ程度の画素数の小さいＣＣＤを用いても画像の位置検出が可能である。
【００２２】
ユーザがプラテンガラス１２０上に載置した原稿Ｄの画像位置の検出は、予め第１ミラーユニット１３０及び第２ミラーユニット１４０を実線で示す位置ａ１及びａ２に移動させ停止させておき、先端を先端突き当て板１２１の端面３ａに突き当ててプラテンガラス１２０上に載置された原稿Ｄに対し、プラテンガラス１２０の下方から原稿下面に向けて画像位置検出用光源１８２より光を照射し、原稿下面からの反射光を画像位置検出用結像レンズ１８１を介して画像位置検出用ＣＣＤ１８０で検知することにより行われる。画像位置検出用ＣＣＤ１８０は検知した光の濃淡を電気信号に替えて制御手段である制御部（後述）へ発信する。
【００２３】
原稿画像の読み取りを行う場合には、プラテンガラス１２０上に原稿を載置した後、第１ミラーユニット１３０及び第２ミラーユニット１４０を実線で示す位置ａ１、ａ２から破線で示す位置ｂ１、ｂ２に移動させながらキセノンランプ１３１からの光の照射により原稿面を走査し、その反射光を第１ミラーユニット１３０で受け、第２ミラーユニット１４０、及び画像読取用結像レンズ１５０を介して画像読取ＣＣＤ１６０により検知され、光電変換されて電気信号として制御部に送られる。
【００２４】
図３は本発明に係る第１の実施の形態を示す画像形成システムの概略構成図であり、図４は本発明に係る画像形成システムの第１の実施の形態における構成を説明するためのブロック図である。図５は、本発明に係る画像形成システムの第１の実施の形態における動作を説明するためのフローチャートである。
【００２５】
図３に示すように、第１の実施の形態を示す画像形成システム１は画像読取システム１０と画像形成手段であるプリンタ３００とからなり、第１の実施の形態を示す画像読取システム１０は画像読取装置１００とパソコン２００とで構成されている。画像読取装置１００とプリンタ３００とはそれぞれパソコン２００に接続されている。
【００２６】
画像読取装置１００は、図４に示すように、画像位置検出手段である画像位置検出部１０１及び画像読取手段である画像読取部１０２を備えており、パソコン２００は、画像処理手段である画像処理部２０１、画像位置表示手段である画像表示部２０２、操作手段である操作部２０３、記憶手段である記憶部２０４、及び制御手段である制御部２０５を備えている。
【００２７】
次に、図４及び図５を用いて、第１の実施の形態における画像形成システムの動作について説明する。
【００２８】
ユーザにより原稿Ｄが出力する画像面を下向きにして画像読取装置１００のプラテンガラス１２０上に載置される（Ｓ１１）。載置された原稿Ｄの画像位置は、画像位置検出用ＣＣＤ１８０により画像位置情報として検知され、電気信号に替えられてパソコン２００の制御部２０５に送られる（Ｓ１２）。送られてきた画像位置情報は制御部２０５により画像処理部２０１に送付され、画像処理される（Ｓ１３）。次に、画像位置情報は画像表示部２０２に送られ、表示される（Ｓ１４）。次いで、ユーザによりパソコン２００の操作部２０３が操作され、プリントするための倍率及び用紙のサイズが設定される（Ｓ１５）。設定された倍率及び用紙サイズに基づいて、制御部２０５を介して記憶部２０４及び画像表示部２０２に指令が発せられ、記憶部２０４に予め収納された倍率及び枠表示用のプログラムが呼び出され、画像表示部２０２に画像位置が再表示されると共に、用紙サイズが枠表示される（Ｓ１６）。ユーザにより、枠表示と画像位置表示との大きさのバランスが確認され、用紙枠に対する画像の大きさがバランス良く収まっているかどうかを判断され（Ｓ１７）、バランスが悪い場合はＳ１６に戻り、倍率または用紙サイズが再設定される。バランスが良い場合は次ステップに進む。更にユーザにより、画像表示部２０２に表示された枠表示と画像位置表示との位置関係が確認され、用紙枠に対する画像の配置がバランス良く収まっているかどうかを判断される（Ｓ１８）。バランスが悪い場合はＳ１１に戻り、プラテンガラス１２０上に載置された原稿の位置が修正される。バランスが良い場合は次ステップに進む。ユーザにより所望する画像が得られると判断され、操作部２０３のプリントスタートボタンの押下により制御部２０５から指令が発せられ、プリンタ３００が動作されて画像がプリントされる（Ｓ１９）。
【００２９】
図６は本発明に係る画像形成システムの第２の実施の形態である画像形成装置の構成を示す概略断面図であり、図７は本発明に係る画像形成システムの第２の実施の形態である画像形成装置の構成を説明するためのブロック図である。
【００３０】
第２の実施の形態である画像形成装置１Ａは、画像読取システム１０Ａと、画像形成手段である画像形成部３０Ａと、カセット給紙部４１０と大容量給紙部（ＬＣＴ）４２０と裏面画像形成用給紙部４３０により構成される用紙搬送部４００とからなる。第２の実施の形態である画像読取システム１０Ａは、自動原稿搬送装置２０Ａ、画像位置検出手段である画像位置検出部１０１と画像読取手段である画像読取部１０２とが一体となった画像読取装置１００、画像位置表示手段である画像表示部５００、画像処理手段である画像処理部６００、操作手段である操作部７００、記憶手段である記憶部８００、及び、制御手段である制御部９００、等を備えている。
【００３１】
画像読取装置１００については、図１で説明した画像読取装置と構成及び動作が同一であるため同一の符番を用いており、重複する箇所の説明は省略する。
【００３２】
画像読取装置１００のプラテンガラス１２０を覆う位置には原稿押さえ部材２１０と移動原稿載置台２２０とを備えた自動原稿搬送装置２０Ａが配設される。
【００３３】
原稿押さえ部材２１０は開閉可能でプラテンガラス１２０上に原稿を載置したときに該原稿を押さえる機能を有し、移動原稿載置台２２０は自動原稿搬送装置２０Ａを用いて原稿画像を読み取るための原稿載置の機能を有する。
【００３４】
自動原稿搬送装置２０Ａを用いて画像の読み取りを行う場合には、第１ミラーユニット１３０と第２ミラーユニット１４０とを位置ａ１、ａ２に静止させ、走行する原稿を走査させる。プラテンガラス１２０を用いて読み取りを行う場合の構成及び動作は、図１で説明した内容と同一でありここでの説明は省略する。
【００３５】
画像形成部３０Ａは電子写真方式により用紙Ｓに画像を形成する。即ち、感光体３１０に対して、帯電、露光、現像を行うことにより、感光体３１０上にトナー像を形成し、転写により用紙Ｓにトナー像を形成し、更に定着を行って用紙Ｓに画像を形成する。３５０は画像読取装置１００で読み取った画像データを感光体３１０上にレーザ光等により書き込む書き込み部である。
【００３６】
片面画像形成時には、カセット給紙部４１０または大容量給紙部４２０から用紙Ｓを画像形成部３０Ａに供給し、画像形成を行った後、排紙ローラ４５０から用紙Ｓを排紙皿４６０に排紙する。両面画像形成時には、カセット給紙部４１０または大容量給紙部４２０から画像形成部３０Ａに用紙Ｓを供給して片面に画像を形成した後、切り換え案内部材４４０により裏面画像形成用給紙部４３０に用紙Ｓを搬送して表裏反転し、表裏反転した用紙Ｓを画像形成部３０Ａに供給して裏面画像形成を行い、排紙ローラ４５０から排紙皿４６０に排紙する。
【００３７】
画像読取装置１００の上面には、画像表示部５００及び操作部７００が配設されており、画像表示部５００には、例えば液晶画面が備えられ、画像位置検出部１０１により検知された原稿位置を示す画像と、対応する用紙サイズの枠表示画像とが表示され、操作部７００には、画像の拡大・縮小選択ボタン、用紙サイズ選定ボタン、プリント倍率選定ボタン、及びプリントスタートボタン等が備えられている。
【００３８】
画像処理部６００、記憶部８００、及び制御部９００は、画像形成装置１Ａ内に内蔵される。
【００３９】
図８は本発明に係る画像形成システムの第２の実施の形態である画像形成装置における固定原稿を画像形成する際の動作を説明するためのフローチャートである。
【００４０】
ユーザにより原稿Ｄが出力する画像面を下向きにして画像読取装置１００のプラテンガラス１２０上に載置され（Ｓ２１）、載置された原稿Ｄの画像位置は、画像位置検出用ＣＣＤ１８０により画像位置情報として検知され、電気信号に替えられて制御部９００に送られる（Ｓ２２）。送られてきた画像位置情報は制御部９００により画像処理部６００に送付され、画像処理される（Ｓ２３）。次に、画像位置情報は画像表示部５００に送られ、表示される（Ｓ２４）。次いで、ユーザにより操作部７００が操作され、プリントするための倍率が設定される（Ｓ２５）。設定された倍率に基づいた画像位置が画像表示部５００に表示されると共に、制御部９００からの指令により記憶部８００に予め収納された用紙サイズ基準プログラムが呼び出され画像位置に対応する用紙サイズが選定されて画像表示部５００に枠表示される（Ｓ２６）。ユーザにより、枠表示と画像位置表示との大きさのバランスが確認され、用紙枠に対する画像の大きさがバランス良く収まっているかどうかを判断され（Ｓ２７）、バランスが悪い場合はＳ２６に戻り、倍率が再設定されるか、または、用紙サイズが手動で指定される。バランスが良い場合は次ステップに進む。更にユーザにより、画像表示部５００に表示された枠表示と画像位置表示との位置関係が確認され、用紙枠に対する画像の配置がバランス良く収まっているかどうかを判断される（Ｓ２８）。バランスが悪い場合はＳ２１に戻り、プラテンガラス１２０上に載置された原稿の位置が修正される。バランスが良い場合は次ステップに進む。ユーザにより所望する画像が得られると判断され、操作部７００のプリントスタートボタンが押下されると、制御部２０５から指令が発せられ、画像形成部３０Ａ及び用紙搬送部４００が動作されて画像がプリントされる（Ｓ２９）。
【００４１】
本発明に係る第２の実施の形態である画像形成装置では、画像形成システムが画像形成装置そのものである形態について説明したが、当該画像形成装置をパソコンに接続した画像形成システムとしても良い。また、第２の実施の形態では、ユーザがプリント倍率を設定し、当該倍率に基づいて対応する用紙サイズが画像表示部に表示される構成について説明したが、用紙サイズをユーザが指定し、対応するプリント倍率を装置側で自動設定する構成であっても良い。勿論、プリント倍率と用紙サイズとをユーザが手動で設定しても良い。
【００４２】
図９は画像表示部に表示された原稿画像位置と用紙の枠表示を示す図である。符号のＥは画像表示部２０２の液晶画面であり、実線のＳａは用紙の枠表示を示し、一点鎖線のＤａは原稿の位置、斜線の領域Ｇａは原稿上に記載された画像の位置を示す。図９では原稿の画像を拡大し、画像位置Ｇａを用紙枠Ｓａの幅方向の中央に来るように原稿をずらした状態を示している。
【００４３】
このように、画像表示部２０２、５００には原稿画像と用紙の枠表示とが同時に表示されるため、ユーザは、所望する大きさの画像と用紙サイズとのバランスを一目で確認でき、所望する画像が得られなければ、画像の拡大・縮小と用紙サイズの選定と原稿の位置の修正を画像表示部２０２、５００の表示を見ながら繰り返すことができる。
【００４４】
【発明の効果】
固定原稿載置台上の原稿載置領域の略全面に対向する領域に固体撮像素子を敷設する画像位置検出手段、該画像位置検出手段を備えた画像読取システム、及び、該画像読取システムを備えた画像形成システムを用いることにより、ユーザが、所望するサイズの用紙に対する、載置した原稿画像の位置及び拡大・縮小後の画像配置の良否の確認及び修正を短時間で行うことができ、画像形成時に確認用の試し画像の出力を必要としないという、簡単な構成でありながら使い易く高品質の画像読取装置を提供できる。また、固体撮像素子は画素数の小さいもので十分であるため、コスト高の問題も抑制できる。
【図面の簡単な説明】
【図１】本発明に係る画像読取手段の実施の形態としての画像読取装置の構成を示す概略断面図である。
【図２】図１の上面図である。
【図３】本発明に係る画像形成システムの第１の実施の形態を示す概略構成図である。
【図４】本発明に係る画像形成システムの第１の実施の形態における構成を説明するためのブロック図である。
【図５】本発明に係る画像形成システムの第１の実施の形態における動作を説明するためのフローチャートである。
【図６】本発明に係る画像形成システムの第２の実施の形態である画像形成装置の構成を示す概略断面図である。
【図７】本発明に係る画像形成システムの第２の実施の形態である画像形成装置の構成を説明するためのブロック図である。
【図８】本発明に係る画像形成システムの第２の実施の形態である画像形成装置における固定原稿を画像形成する際の動作を説明するためのフローチャートである。
【図９】画像表示部に表示された原稿画像位置と用紙の枠表示を示す図である。
【符号の説明】
１  第１の実施の形態を示す画像形成システム
１Ａ  画像形成システムの第２の実施の形態である画像形成装置
１０  第１の実施の形態を示す画像読取システム
１０Ａ  第２の実施の形態を示す画像読取システム
１００  画像読取装置
１０１  画像位置検出手段（画像位置検出部）
１０２  画像読取手段（画像読取部）
１８０  固体撮像素子（画像位置検出用ＣＣＤ）
１８１  画像位置検出用結像レンズ
１８２  画像位置検出用光源
１２０  固定原稿載置台（プラテンガラス）
２００  パソコン
２０１，６００  画像処理手段（画像処理部）
２０２，５００  画像位置表示手段（画像表示部）
２０３，７００  操作手段（操作部）
２０５，９００  制御手段（制御部）
３０Ａ  画像形成手段（画像形成部）
３００  画像形成手段（プリンタ）
【図１】
2004282558.tif 000003
【図２】
2004282558.tif 000004
【図３】
2004282558.tif 000005
【図４】
2004282558.tif 000006
【図５】
2004282558.tif 000007
【図６】
2004282558.tif 000008
【図７】
2004282558.tif 000009
【図８】
2004282558.tif 000010
【図９】
2004282558.tif 000011